(57)【特許請求の範囲】
【請求項１】
中心軸線に沿って鍵孔を形成した内筒と、この内筒と回動可能に嵌合する外筒と、これら内筒及び外筒を半径方向に貫通すると共に、内筒の中心軸線方向に付勢されたタンブラーピンとドライバーピンとの組を夫々摺動可能に収納した複数の段付のピン孔を有し、これらのピン孔を内筒の母線方向に沿う第１配列方向に所定の展開パターンで配列したピン列の複数を、内筒の中心軸線回りの第２配列方向に所定の角度間隔で配設し、鍵孔に合鍵が挿入され、その表面における窪みが対応するタンブラーピンの内端と係合したとき、各ピン孔におけるタンブラーピンとドライバーピンとの接合部がシアーラインに揃うようにしたものにおいて、第２配列方向における少なくとも１列のピン列の第１展開パターンを他のピン列のものとは異なるものとし、以て、施解錠のため鍵孔に挿入された合鍵を、最初の鍵挿入角度位置以外の角度位置では引抜くことができないようにしたことを特徴とするマルチピンシリンダ錠。
【請求項２】
中心軸線に沿って鍵孔を形成した内筒と、この内筒と回動可能に嵌合する外筒と、これら内筒及び外筒を半径方向に貫通すると共に、内筒の中心軸線方向に付勢されたタンブラーピンとドライバーピンとの組を夫々摺動可能に収納した複数の段付のピン孔を有し、これらのピン孔を内筒の母線方向に沿う第１配列方向に所定の展開パターンで配列したピン列の複数を、内筒の中心軸線回りの第２配列方向に所定の角度間隔で配設し、鍵孔に合鍵が挿入され、その表面における窪みが対応するタンブラーピンの内端と係合したとき、各ピン孔におけるタンブラーピンとドライバーピンとの接合部がシアーラインに揃うようにしたものにおいて、第２配列方向における少なくとも１列のピン列の、時計方向及び反時計方向において隣接する他のピン列との相対角度間隔を異なるものにし、以て、施解錠のため鍵孔に挿入された合鍵を、最初の鍵挿入角度位置以外の角度位置では引抜くことができないようにしたことを特徴とするマルチピンシリンダ錠。
【発明の詳細な説明】
【０００１】
【発明の属する技術分野】
この発明は、マルチピンシリンダ錠に係り、特に、従来のものと比較して鍵違いを格段に多くすることができると共に、作動が確実である新規なマルチピンシリンダ錠に関する。
【０００２】
【従来の技術】
ピンシリンダ錠は、周知のように、内筒と外筒を貫通する複数のピン孔の夫々に、内筒の中心軸線方向に付勢されたタンブラーピンとドライバーピンの組を収納し、鍵孔に合鍵が挿入され、鍵溝が対応するタンブラーピンの内端と係合したとき、タンブラーピンとドライバーピンの接合部がシアーラインに整合するように構成したものである。
【０００３】
【発明が解決しようとする課題】
しかして、近年、従来の平板よりなる合鍵ではなく、断面形状が円形又はこれに近い棒状の合鍵を採用し、一方、内筒又は外筒の母線に沿って従来１列のみ設けられたピン列を円周方向に沿って複数列配設し、以てピンタンブラーの数を増大させて鍵違いを多くできるピンシリンダ錠（以下マルチピンシリンダ錠という）が提案されている。
【０００４】
このようなマルチピンシリンダ錠においては、製造及び管理を容易にするため、例えば図７に示すようなピン孔の内筒（外筒）母線方向（以下第１配列方向という）における配列（１次元的な展開パターン：以下第１展開パターンＰという）を一定にすると共に、第１展開パターンＰを内筒中心軸線回りの円周方向（以下第２配列方向という）に等角度間隔で配列するのが普通の設計である。
【０００５】
このように設計されたマルチピンシリンダ錠では、例えば第２配列方向において４列の第１展開パターンＰのピン列が等角度間隔で配設されているとした場合、合鍵を内筒の鍵孔に挿入してから施錠、或いは解錠方向に９０度回す毎に、内筒の外周面におけるピン孔の開口と、外筒の内周面におけるピン孔の開口とが、お互いに違うピン孔であるにも拘らず、整合することになる。
【０００６】
この場合には、合鍵を鍵孔から抜くことができ、施錠或いは解錠操作が完了していないにも拘らず完了したと勘違いし、例えば施錠の場合にはその侭外出してしまうから防犯上大変危険である。
【０００７】
そこで、この発明は、第１配列方向における第１展開パターンが第２配列方向において同一であっても、また、第２配列方向におけるピン列の角度間隔が同一であっても上記した不都合が生じない、作動が確実なマルチピンシリンダ錠を提供することを目的としている。
【０００８】
【課題を解決するための手段】
上記の目的を達成するため、請求項１に記載の発明は、中心軸線に沿って鍵孔を形成した内筒と、この内筒と回動可能に嵌合する外筒と、これら内筒及び外筒を半径方向に貫通すると共に、内筒の中心軸線方向に付勢されたタンブラーピンとドライバーピンとの組を夫々摺動可能に収納した複数の段付のピン孔を有し、これらのピン孔を内筒の母線方向に沿う第１配列方向に所定の展開パターンで配列したピン列の複数を、内筒の中心軸線回りの第２配列方向に所定の角度間隔で配設し、鍵孔に合鍵が挿入され、その表面における窪みが対応するタンブラーピンの内端と係合したとき、各ピン孔におけるタンブラーピンとドライバーピンとの接合部がシアーラインに揃うようにしたものにおいて、第２配列方向における少なくとも１列のピン列の第１展開パターンを他のピン列のものとは異なるものとし、以て、施解錠のため鍵孔に挿入された合鍵を、最初の鍵挿入角度位置以外の角度位置では引抜くことができないようにしたことを特徴とする。
【０００９】
また、請求項２に記載の発明は、中心軸線に沿って鍵孔を形成した内筒と、この内筒と回動可能に嵌合する外筒と、これら内筒及び外筒を半径方向に貫通すると共に、内筒の中心軸線方向に付勢されたタンブラーピンとドライバーピンとの組を夫々摺動可能に収納した複数の段付のピン孔を有し、これらのピン孔を内筒の母線方向に沿う第１配列方向に所定の展開パターンで配列したピン列の複数を、内筒の中心軸線回りの第２配列方向に所定の角度間隔で配設し、鍵孔に合鍵が挿入され、その表面における窪みが対応するタンブラーピンの内端と係合したとき、各ピン孔におけるタンブラーピンとドライバーピンとの接合部がシアーラインに揃うようにしたものにおいて、第２配列方向における少なくとも１列のピン列の、時計方向及び反時計方向において隣接する他のピン列との相対角度間隔を異なるものにし、以て、施解錠のため鍵孔に挿入された合鍵を、最初の鍵挿入角度位置以外の角度位置では引抜くことができないようにしたことを特徴とする。
【００１０】
【実施例】
以下、この発明の実施例を図面を参照して説明する。
図１において符号１は合鍵の全体を示し、この合鍵１は断面が円形の、すなわち丸棒状の本体部２を備えている。
【００１１】
この本体部２の先端は、合鍵の鍵孔挿入時タンブラーピンを外筒側に押動できるようにテーパ部３となっている。
【００１２】
また、合鍵の重量を減少させるため、合鍵の中心軸付近の肉を盗んで本体部を筒状にしてもよい。
【００１３】
更にまた、本体部２の外周面には、例えば摺り鉢形の窪み４が形成されている。通常は多数の窪み４が形成されているが、図１においては、図面を明瞭にするため、ただ１個の窪みのみが描かれている。
【００１４】
この窪み４の深さは、１個の窪みにつき例えば４〜５種類有り、この深さの差により鍵違いを得るようにしていることは従来のピンシリンダ錠と同様である。
【００１５】
一方、図２及び図３において符号５は内筒を、符号６は内筒５と同軸の外筒を夫々示し、これ等内筒５及び外筒６は夫々厚肉の円筒体であり、内筒５には、その中心軸線に沿って、断面が円形の鍵孔１０が形成されている。
【００１６】
また、内筒５及び外筒６は回動可能に嵌合しており、内筒５の前端に形成されたフランジ７、内筒５の後端部分に嵌着されているＣリング等の止め輪８（図３参照）により、内筒５の抜け止めが施されている。
【００１７】
更にまた、図２に示すように、内筒５及び外筒６を半径方向に貫通するようにして、図面を明瞭にするために付番しない複数の段付のピン孔が形成されており（図２においては１個のみ）、各ピン孔には、内側から順に、段付のタンブラーピン９、ドライバーピン１１及び圧縮コイルばねとしてのピンばね１２が夫々摺動可能に収納されている。
【００１８】
従来のピンシリンダ錠では、ピン孔の外筒外周面における開口を覆い、ピンばね１２が外れてしまうことを防止するため母線方向に沿う細長い板材を外筒に嵌め込んであるが、この発明によるピンシリンダ錠においては、ピン孔の開口が外筒外周面全域に分布することがあるため、外筒６の外側に薄肉のばね押え筒１３が嵌合している。
【００１９】
尤も、ピン孔の開口の分布及び数によっては、従来のピンシリンダ錠のように外筒６の母線方向に沿う細長い板材（図示せず）を填め込んでもよい。
【００２０】
なお、図１において符号１４は合鍵の本体部２の基部に突設された位置決めピンを、図２において符号１５は内筒の前端面において鍵孔１０の近傍に形成された位置決め凹陥部を夫々示し、合鍵の鍵孔への挿入時、位置決めピン１４を位置決め凹陥部１５に係合させることにより、内筒５の中心軸線回りの合鍵の角度位置を規定する。
【００２１】
しかして、請求項１に記載の発明によるマルチピンシリンダ錠は、内筒５の中心軸線回りの第２配列方向における少なくとも１列のピン列の第１展開パターンＰが、他のピン列のものとは異なっている。
【００２２】
例えば、図２における凹陥部１５を時計盤面に換算して１２時の角度位置とし、図示の実施例におけるマルチピンシリンダ錠は、第２配列方向においては３時、６時、９時及び１２時の角度位置に夫々ピン列が配設されているものとする。
【００２３】
そして、時計盤面に換算して９時の角度位置におけるピン列の第１展開パターンが他の３列のそれと異なっており、他の３列の第１展開パターンは相互に同一であるとする。
【００２４】
すると、合鍵の位置決めピン１４を内筒５の前端面の凹陥部１５に整合させて合鍵１を鍵孔１０に挿入したとき、合鍵の表面における窪みが対応するタンブラーピンの内端と係合したとき、図４に示すように、タンブラーピン９とドライバーピン１１の接合部の全部がシアーライン１６に整合し、このマルチピンシリンダ錠が解錠されることは従来のピンシリンダ錠と同様である。
【００２５】
しかして、図示の実施例におけるマルチピンシリンダ錠においては、合鍵１を例えば時計方向に９０度回すと、図５に示すように、１２時の角度位置における外筒６のピン列と、９時の角度位置における内筒５のピン列とが第２配列方向において整合する。
【００２６】
上記したように９時の角度位置における内筒５のピン列は他の角度位置におけるものとは第１展開パターンＰが異なるから、図５に示すように、少なくとも１個のタンブラーピンが外筒内周面に開口したピン孔と整合しない。
【００２７】
この状態で合鍵を鍵孔から引抜こうとすると、窪み４の斜面とタンブラーピン９の内端との間に生じる楔作用により、各タンブラーピン９は外方に移動しようとするが、上記した外筒のピン孔と整合しないタンブラーピンは少なくとも外端面の一部が外筒内周面に衝止されてそれ以上外方に移動できないので、結局合鍵１を鍵孔１０から引抜くことができない。
【００２８】
したがって、合鍵を最初の挿入角度位置にまで回さないと合鍵を引抜くことはできず、途中で合鍵を抜くことに起因する種々の不都合を完全に防止することができる。
【００２９】
図６は請求項２に記載の発明によるマルチピンシリンダ錠を示し、このマルチピンシリンダ錠は、第１配列方向に沿うピン列の第２配列方向における角度位置を等間隔とはせず、少なくとも１列のピン列、図示の実施例では時計盤面に換算して１２時付近におけるピン列１７の、３時及び９時の角度位置におけるピン列との角度間隔を相互に異なるものとしたものである。
【００３０】
請求項２に記載の発明によるマルチピンシリンダ錠は、上記したようにピン列１７、１７が第２配列方向において非対称に構成されているから、合鍵の正規の抜き差しの角度位置の他の角度位置では、例え各ピン列１７の第１展開パターンＰが相互に同一であっても、内筒の外周面におけるピン孔の開口と外筒の内周面におけるそれらが全部整合することはない。
【００３１】
そのため、少なくとも１個のタンブラーピンの外端面が外筒の内周面に衝止され、前記した理由により他の角度位置では合鍵を鍵孔から抜くことができない。
【００３２】
なお、この発明は、図示の実施例に限定されることなく、種々に変形して実施することができる。
【００３３】
例えば、図示の実施例では合鍵の横断面形状を円形とし、そのため合鍵の第２配列方向の角度位置を一定にするため位置決めピン１４（図１参照）と凹陥部１５（図２参照）とを係合させるようにしたが、これは合鍵及び鍵孔の断面形状を円形ではなく例えば達磨形（図示せず）等異形としてもよい。
【００３４】
【発明の効果】
以上の発明から明らかなように、この発明は、第１配列方向におけるピン列の第１展開パターンＰを変えたり、ピン列の或いは第２配列方向における角度位置を非対称にしたので、合鍵の正規の抜き差しの角度位置の他の角度位置では合鍵を抜くことができず、施解錠操作の途中で合鍵を抜き去ることによって生じる防犯上の危険を防止することができる、という所期の効果を奏する。
【００３５】
また、特に請求項１に記載の発明においては、第１展開パターンが異なるピン列の第２展開方向における相対関係位置を変えることによりピン孔の全体の展開パターンの種類が増大するので、これを鍵違いに組み入れることができる。
【００３６】
例えば、４列のピン列のすべてが同一の第１展開パターンであるとすると、これを展開した全体の展開パターンはただ１種類であるが、４列のピン列が夫々異なる第１展開パターンを有する場合、１２時の角度位置に一の第１展開パターンを置く可能性が４、３時の角度位置に残りの３種類の第１展開パターンを置く可能性が３、以下同様にして、全体の展開パターンの数は４×３×２で２４種類となり、これを鍵違いに組み入れることができる、など種々の効果を奏する。
【図面の簡単な説明】
【図１】この発明の一実施例によるマルチピンシリンダ錠の合鍵の側面図で、図面を明瞭にするため１個の窪みのみを示す。
【図２】この発明の一実施例によるマルチピンシリンダ錠の一部断面正面図で、図面を明瞭にするため１組のタンブラーピン及びドライバーピンのみを示す。
【図３】この発明の一実施例によるマルチピンシリンダ錠の一部断面側面図。
【図４】請求項１に記載の発明によるマルチピンシリンダ錠の作動を説明するための一部断面側面図で、内筒と外筒の第１展開パターンが同一である場合を示す。
【図５】請求項１に記載の発明によるマルチピンシリンダ錠の作動を説明するための一部断面側面図で、内筒と外筒の第１展開パターンが異なる場合を示す。
【図６】請求項２に記載の発明によるマルチピンシリンダ錠の構成を説明するための線図的正面図。
【図７】第１展開パターンの一例を示す内筒の平面図。
【符号の説明】
１  合鍵
２  本体部
４  窪み
５  内筒
６  外筒
９  タンブラーピン
１０  鍵孔
１１  ドライバーピン
１２  ピンばね
１４  位置決めピン
１５  位置決め凹陥部
１６  シアーライン
１７  ピン列
Ｐ  第１展開パターン
【図１】
0004062656.tif 000002
【図２】
0004062656.tif 000003
【図３】
0004062656.tif 000004
【図４】
0004062656.tif 000005
【図５】
0004062656.tif 000006
【図６】
0004062656.tif 000007
【図７】
0004062656.tif 000008